【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
"すべて1っのリモートキーで」、rネット、指紋センサーを持っているあるいはもう1っの
ノ、イオメトリツク身分証明書の中間の設備が整っている器具(携帯電話、MP3一
プレーヤー、時計)と一緒の1以上のそれあ
るいは、貯蔵で、(アクセス、数、パスrワード、lD、身元確認陽イオン、認可のために
)(ハードウエアとして同Uくソフトウエアのように)(彼・それ)6のインタフェースの
ためにそれにすべてのインタフェースと調和しているアタッチメント(拡張キット)、ディ
スプレイ、キーボード身元確認rフォン拡声器CPUバッテリー、太陽電池板、
カメラなど(A工ORK)を通してそれ)
そして/あるいはソフトウエアに関するそれを持っている(の・もの1人)と機械的に、
そして/あるいは電子的にラジオ連結してください拡張キットの上のζして'あるいはソフ
トウエアに関するソフトウエアインタフェースそしてノあるいはGSM
のリスト、青いr歯、NFC、WいN、UWB、IrDa、125kHz
、あるいは他の10センチ。最も異なうた電子の、そして機械のソフトウエア
の形式のキーとアプリケーションが(そのために)走る100センチの短い一距離一
ステーション、ラジオとTVトランシーバー。
【請求項２】
"1一すべて1つのリモートキーで」Il(AIORK)の後に、それ、その管理することによって特徴
づけ6れて、開いて、1を主張します/
ガレージあるいは他の可動的であるか、あるいは速い頑丈なラジオ宮殿、初心者
について部分機能のアプリケーション(キーの間に)すなわち、
、追加のインフォメーション、その認可と1の村あるいは数台のラジオーモータ一一
自転車、自動車が的に向かわせるアクセスを握り締めて/始めますIIあるいはlI一
コミュニケートすることのユニットコードがそれ自身コードをトランシー
バーするが、同時にキーをすなわち、
するか、あるいはする点火装置11そして、さ6に特にフアンクー
アンテナファンクの上の最も短い距離が望まれるステーションの達成に同様に最も少数の奴
隷をas.
する・あるいは日が計算して、そして示されるところ(に・で)、そしてその場所と他の奴
隷が登録されているときさ6に諜報機関の上にそして移動電話一ブレースの上にBluetooth
ScattemetとGSMの上に直接動きセンサーで、Bluetooth、NFCあるいはWいN
の上、最も近くの駅あるいは日へのうジオーアンテナ.
すべての上にと一緒の指示が示されるところ。
【請求項３】
"llすべて1つのリモートキーで」1I1、が相互で、直接もっと多くてそれ、それによってアク
セス・・
コントロールアプリケーションに印を付けた(AIORK)クレームが金、NFCの上のバイオ
メトリック指紋一センサー、Bluetooth
などと一緒にどこ(で・に)かのために人制御装置、入場料あるいはトランザクシ
ョンのために写真と個人の細部の代表包み転送を同期させた後11.
モーターのコントロrルのために
認可と借り方あるいは車(中央モーターユニットあるいは)とソフトウエアにおいて同様に
どこ(で・に)かがas.することは処理される、あるいは他はにである暗証番号社が
Bluetoothの上のFP一センサー
と一緒の器具か6暗証番号社の確認を持った隠れている点火までその機会の上に立候補する
、そして次に認可社と共にNFCの上に器具の中のFP・
センサーを持っている中央モーターユニットのための2番目の暗証番号C1
が起こされるところ、それが6もう1っの点火、それがそうである中央モ
ーターユニットと例えばまでの認可C01と一緒のFP一センサー
と一緒の器具の点火コードC2が始め、何で元気であるのと同じぐ6い元気なGSM-Modul
とz.Bと一緒の錠ループラジオ宮殿にモーターを運ぶように。Bluet。oth
は暗証番号Cの中に含まれることができる。
【請求項４】
llllすべて1っのリモートキーで」Il(AIORK)の後にそれによって記録された1、そのM支払
いがアプリケーション、どこ(で・に)がにNFC、W-LANと共にUWB
、携帯電話、時計のような器具でBluetooth一、あるいは他の例えば
125kHzトランシーバーの負担を強いる、MP3一プレーヤーあるいは拡張キットという人が
これ6と一緒にv.の近くで指紋センサーでそれあるいは例えばのようなバイオメトリック
人身分証明書を相互に連結したと主張するII.a.
器具か6器具へと、あるいはキャッシュ・レジスター、自動販売機、券売機、ジューク
Boxeあるいはゲイツなどに感触を向けなさい。Mikとr緒の支払い、l1即刻か、あるいは後の
GSMとIMEI一数を同じく個人の細部、バイオメトリックと銀行預金口座の上のア
カウント番号データとして直接、あるいは間接
的に器具あるいはそれとコミュニケートしている支払いタ
ーミナルか6送信まで金額を差し引かれるIlそしてll
一位置、時間、一例えば公園会費のような権利一消費、納税申告書ある
いは直接トランシーバーの上の入(学・会)許可価格が金額を差し引かれるエリア
ー直接の外国為替変換を持った実行株
一賃貸料、購入、販売、ゲーム、賭け、株式取弓1所一
取引と保険証書とインタrネットとウェブサイ
トプラットホームの上の契約結論、あるいは直接認可に似合われた。
一AIORK一そして、預金出演についての、個人の指紋一
保全コードと一緒のインターネットダイ
レクト支払い認可が調べるなどする。森林開拓地に、リリースに、そして、インター
ネットに接続したコンピュータ、携帯電話とターミナルの上にMicrO
とマクロ支払いでインターネット商業を駄目と見なしてあき6めることが可能である
ために。
一自然音の、そして明白なバイオメトリツク指紋一センサー
は1、2、を感動的であるか、あるい
はトリックの実行のトリプルと裁定します、あるいはそれは有用ですディスプレイ価
格、プロダクト
・の上にインストール前がそうであることを示した速いM支払いのためのグルrプを
上場します
一携帯電話の上のHomebanking・管理されたする確認されたトランザクションの
Smartphoneと同じくコンピュータがなるようにNFC一
トランシーバーと一緒にそしてFP一センサーと一緒に処理されたPDA
111つのリモートキーのすべて」II(A工ORK)が、彼女/
それと一緒に、実行アプリケーションをRFID一
タグを付けるそれによって記録された1を主張した後11
一Ilクレジットが、RFID一タグのEEOPROM
キャッシュ記憶装置エリアが読み終えたもので、上に書かれるRFID一
ふだが金を元気なaS.
として同じくで含みが多いと同じようにしっかり固定した器具、ただ自動販売機ある
いは人たちと一緒の同じ携帯電話だけが積み込まれたという点でそれ6の上に日につ
いて(彼・それ)611(IIあるいはバイオメトリツク身分証明書で上にI1指紋センサー一1
)1旧についてクレジットでアンロ
ードされますあるいは(容器)常にロックループ特許で(銀行一アカウント
ー)で番号が(GSM-MPの上に)ウェブサイトの上に安全に保ったのと同じように
RFID一クレジットータグll
一個人的な(の・もの・人)一器具の上に指紋一センサー
にとって同じぐ6い申し分がないウェブサイトのRF工D一タグの登録一
がウェブサイトの上の接続が記録するそして管理されたした直接GSM一ネット
と一緒の広告、ロゴあるいはパッケージが似合うRF工D一
ふだが、プロダクトで、番号を付ける器具の上に、何で確認されるか
調べますにRF工D一タグを持っているプロダクトの品質がされる敷地、敷地、の上に
GSM一ネット接続ウエブサイトの上の(の・もの・人)が登録して一
スマートカードのセキュリティースペースあるいは他のRF工D一
タグの上に書いて、そして終了した読みである
一類似ですアプリケーションが食物が好きである一そして他の消費一
計算あるいはセキュリティー1一データベース経営者が走る。
【請求項５】
11すべて1っのリモートキーで」Il(AIORK)の後に1が、それ、直接の評価に対する指紋セ
ンサー
と一緒の1器具それによって、そしてアクセスのために対話型のインターネット上でビデオ
ヒット狡猪を持っている元気なaS・
可動的なフォンボータルであるというマークを付け6れて、何がについて、元気なas.
が公演か6金額を差し弓1く(とき・か6・につ'れて・ように)、元気なas.
ヒットパレード、含有量、テレビ運河、
ゲーム、サービス、プロダクト、ソフトウェアインプリメンテーション、認可、世論調査、
権利と任務、ゲーム、パートナー調停、経済としてu.支払いトラフィック調整一
可能性をヒットーチャートにすると主張する
a)Il)それは他のコンピュータ、サーバー、ラップトップが認証の後の可動的なフォン、PDA
・のビデオクリップと中身と相互作用するか。の、彼/そのサーバーに関する指紋一
センサーがなるバイオメトリックを持っている認可とそれ
b)ビデオクリップと移動電話に戻っているこれ6のサーバrの内容物、PDA
、ラップトップのなど。バイオメトリツク人認識高原そして一評価とそれを積まれる
c)モービルー電話のビデオクリップと対話型のヒットか6の中身、'PDA、ひざトップのなど。・
ヒットパレードでバイオメトリツクで人認識そして一
評価は目録に載っている、そしてそれです
d)毎日、週に1度のヒットパレード、毎月、そして毎年再びリストされて、そして時のそれぞ
れのコースの後に次のヒットパレードリストについて持って来6れる、そしてそれ
e)ただトツフb場所く人たち・もの)だけがヒットパレードとそれの対話型のステーションの
選ばれたタイトル
f)と名前で同様に切り抜きがダウンロードされるという元気なas.
としての対話型の選ばれた場所をaS.する
g)一1それはクリップのコストー価値一
和解後に覆われている1一ヒットの数11まっすぐにかつて、あるいは
相互にかつてヒットパレードに対する見解のか、あるいはさもなければ時間、地方と品質の
後の要因が主要なグルソトー支払い一評価システムとそれとして計算する要因11
h)彼の前の貢献/それの後の特定のソフトウェアと一緒のクリップ、そして/あるいは傾
くことは選択を上達させて、修正して、コード化する、守った、'パーソナルが公正に豊の目
紙を要求した後そしてユーザー自身か6対話型の異なったりストそして/あるいはフォンそ
して/あるいは管理されたか6のソフトウエアが似合うモバイルーと指紋一センサー一
認可実行とそれ以上で
i)元気なaS.
認可としての対話型のオープンソース・ソフトウェアインプリメンテーションが、元気なaS.
として、対話型のポータルが保証するべき連続的にもっと良いソフトウエアアプリケーショ
ンを得るために持つポータル・指紋一センサー一認可実行の上の(彼・それ)6とそれ
j)対話型のラジオとテレビ運河参加一設定一と評価システムが持つボータル、指紋一
センサー一認可とそれの上のその実行
k)内容、機会、場所、時間、サービス、義務と実行可能なセンサー一認可がそうである指紋一
の権利とそれのための対話型の認可システム
1)対話型のゲームそして/あるいは経済が一信用度一
システムズ、が支払われる支払いとそれを使って、後で示される元気なaS.
が利益と価値を計算した(とき・か6・につれて・ように)、対話型の内容でイ
ンプットに補償するバーチャル「RobeIJそして/あるいは右金を持っている
m)相互作用の支払い取引と中身、オークション、プロダクト、サービス、サービスの請求処理
、オークション、コンテスト、賭けとゲーム、チケット、チケットと先端とそれ
n)元気なaS.銀行取引経営者、実行可能な指紋一センサー一認可の上の口座指導体制と株一
コースー政権は相互作用のコード化された金であるけれども、そしてそれ
o)入り口の中そして外の決定のための相互にやりとりするコード化された世論調査関数。
p)実行可能な一センサー
一認可がそうである指紋とそれの中身の相互作用のエンコーディング
q)ボータルと中身などの対話型の態度のための対話型のニューラルネットの機能。,実行可能な
一センサー一認可がそうである指紋とそれの上に
r)相互作用のパートナー調停一プレゼンテーションと実行可能な指紋一センサー一
認可以上がそうである.ゲームとそれ
s)トラフィックー保全(パット).緊急時、離れている隣りの病院政策ガレージ駅Tow
、地図とガイド、が実行可能なセンサー一認可がそうである指紋一
での動き場所サービスとそれを留まってください一undします
t)相互にやりとりする場所と友人たちのためのレーヨン規則認可、実行可能な指紋一センサー一
認可以上がそうであるヘルパーあるいは裁判官と警察。